(57)【要約】【課題】本発明は床下空間を有効利用することが出来ると共にワンルームの居住者に重宝なものとなる木造建築物に於ける床下収納構造を提供することを目的とする。【解決手段】床板面１の開口に床下ハッチ３を取付け、床下空間Ｓに複数個の収納ボックス２を配置させると共にその収納ボックス２には少なくとも、下部に自在キャスター21を取付け、外周面に引掛部22を突設させ、該引掛部22に先端を引掛けて床下ハッチ３まで引寄せる引寄棒４を備えて、少なくとも構成した。また収納ボックス２の上面に蓋５を設けると共にその上面に円形の凸部51を突設し、該凸部51に当設させるガイド片６を床下の大引７又はツナギ材８の下面に突設したものとすると良い。【選択図】図１
2016008438.tif 000002
【特許請求の範囲】
【請求項１】
べた基礎（Ｋ）で木造在来軸組工法による建築物の床板面（１）を開口し、床下空間（Ｓ）に複数個の収納ボックス（２）を配置させて床下収納構造と成すものであって、前記床板面（１）の開口に床下ハッチ（３）が取付けられ、前記収納ボックス（２）には少なくとも、下部に自在キャスター（21）が取付けられると共に外周面に引掛部（22）が突設され、該引掛部（22）に先端を引掛けて前記床下ハッチ（３）の位置まで移動させて引寄せる引寄棒（４）が備えられて、少なくとも構成したことを特徴とする木造建築物に於ける床下収納構造。
【請求項２】
前記収納ボックス（２）の上面に蓋（５）が設けられ、該蓋（５）の上面に円形の凸部（51）が突設され、その凸部（51）に当設させて前記収納ボックス（２）をスムーズに移動可能方向にガイドするためのガイド片（６）が床下の大引（７）又はツナギ材（８）の下面に突設された請求項１記載の木造建築物に於ける床下収納構造。
【請求項３】
前記収納ボックス（２）が円筒体である請求項１記載の木造建築物に於ける床下収納構造。
【請求項４】
前記収納ボックス（２）が床板面（１）まで持ち上げられるストロークを有すると共に前記床板面（１）の開口中央位置で且つべた基礎（Ｋ）に昇降装置（９）が埋設して配置された請求項１記載の木造建築物に於ける床下収納構造。
【発明の詳細な説明】
【技術分野】
【０００１】
本発明は床下空間を有効利用するものであり、特には、べた基礎による木造建築物に於ける床下収納構造に関する。
【背景技術】
【０００２】
従来、木造建築物の床下に設けた収納部としては、床にハッチを設け、床下空間に、物入れに物品を収納できるようにした床下収納ユニットがよく知られている。これは開口広さと同一の床下収納ユニットを設置するもので、例えば、特開２００２−２４２４１７がある。これは収納量に容易に対応して床下収納ユニットを設置することが出来るものであるが、床下空間の一部を利用するだけのものであり、床下空間の有効利用が充分にできるものでなかった。しかも昇降可能な複数の脚体と、床下収納ユニットを支持するために架設すると共にサイズに対応する支持フレームなどが少なくとも必要であり、そのための設置部材や施工費が多く掛るものであった。
【０００３】
又、床下空間を有効に利用して収納容量を増大するものとして、特開平１０−１４０８１６号が提案されている。これは床下又はスラブ上にレールを設け、レール上で上方開口の移動式ボックスを移動自在に設け、開口ハッチの下面開口部と移動式ボックスの上方開口部の位置を合致自在と成したものである。従って、１ケ所の上方開口に対して、その数倍のボックス面積を作り出し、且つ、１ケ所の上方開口から移動式ボックス全域に品物を出し入れ可能となる。しかしながら、床下空間に於いて、記載の図１〜図３に示す如くレールを設けた一部の空間しか収納できないものであると共にレールを設けるため、その費用や設置手間が掛るものであった。またレールを設けた空間は、必要な品物を取出すためには、一列に並べられた移動式ボックスが開口部まで移動する必要があるため、レールの長さの半分しか移動式ボックスを配置できないものであるので、上記のものと同様に床下空間の有効利用が充分にできるものでなかった。
【０００４】
更に床下空間全体を収納庫として利用可能にするものとして、特開２００１−２７０４０が提案されている。これは和室の床下空間を利用するものであり、その目的は床下の物入れに、物品の出し入れする都度、畳の開閉動作を行うため、畳縁が擦り減らないようにして、畳としての体裁が長期にわたって保たれるようにしたものである。しかしながら、床下に物品を入れたり出したりする際、人が床下に入って、物品を奥へ順に並べると共に、物品を出す時は、その物品の所まで人が行って、それを運び出さなければならないため、手間が掛ると共に腰をかがめる作業のため、スムーズに取出しが行えず、特に重量が重い物品の移動や出し入れは大変な作業であった。尚、特開２００１−２７０４０は、本発明とは目的が異なるものである。
【先行技術文献】
【特許文献】
【０００５】
【特許文献１】特開２００２−２４２４１７号公報
【特許文献２】特開平１０−１４０８１６号公報
【特許文献３】特開２００１−２７０４０号公報
【発明の概要】
【発明が解決しようとする課題】
【０００６】
本発明は床下空間を有効利用することが出来ると共にワンルームの居住者に重宝なものとなる木造建築物に於ける床下収納構造を提供することを目的とする。
【課題を解決するための手段】
【０００７】
本発明は上記現状に鑑み成されたものであり、つまり、床板面の開口に床下ハッチを取付け、床下空間に複数個の収納ボックスを配置させると共にその収納ボックスには少なくとも、下部に自在キャスターを取付け、外周面に引掛部を突設させ、該引掛部に先端を引掛けて床下ハッチまで引寄せる引寄棒を備えて、少なくとも構成した。また収納ボックスの上面に蓋を設けると共にその上面に円形の凸部を突設し、該凸部に当設させるガイド片を床下の大引又はツナギ材の下面に突設したものとすると良い。又、収納ボックスに円筒体のものを用いると良く、更に収納ボックス用の昇降装置を配置させても良い。尚、本発明で言う「円形の凸部」とは、凸部の外形が円形であるものを指し、円環状の凸部も含む。
【発明の効果】
【０００８】
請求項１のよう床板面（１）の開口に床下ハッチ（３）が取付けられ、収納ボックス（２）には少なくとも、下部に自在キャスター（21）が取付けられると共に外周面に引掛部（22）が突設され、該引掛部（22）に先端を引掛けて床下ハッチ（３）の位置まで移動させて引寄せる引寄棒（４）が備えられて、少なくとも構成することにより、従来の如き床下空間（Ｓ）の一部の利用或いは、レールを設けた一部の空間しか収納できないものと異なり、床下空間（Ｓ）の半分以上が有効利用可能なものとなり、床下空間（Ｓ）を有効利用することが出来ると共にワンルームの居住者に重宝なものとなる。更に本発明は、従来の如き、床下収納ユニットなどを架設するために支持フレーム等を設ける必要がなく、そのための設置部材や施工費も不要なものとなり、しかも、既存の床構造をそのまま使用できるため、安価な施工費で且つ工期も極めて短いものとなる。
【０００９】
請求項２のように収納ボックス（２）の上面に蓋（５）が設けられ、該蓋（５）の上面に円形の凸部（51）が突設され、その凸部（51）の外周に当設させて収納ボックス（２）をスムーズに移動可能方向にガイドするためのガイド片（６）が床下の大引（７）又はツナギ材（８）の下面に突設されることにより、鋼製束（10）などに収納ボックス（２）が当ることなく、スムーズに収納ボックス（２）が床下ハッチ（３）までガイドされる移動可能なものになる。
【００１０】
請求項３に示すように収納ボックス（２）の形状を円筒体にすることにより、凸部（51）やガイド片（６）がなくても、収納ボックス（２）は床下ハッチ（３）までスムーズに移動可能なものになる。
【００１１】
請求項４に示すように収納ボックス（２）が床板面（１）まで持ち上げられるストロークを有すると共に床板面（１）の開口中央位置で且つべた基礎（Ｋ）に昇降装置（９）を埋設して配置することにより、収納ボックス（２）内部の物品が、老人や子供などでも簡単に出し入れ出来るものとなる。
【図面の簡単な説明】
【００１２】
【図１】本発明の実施形態の主要部材を示す説明図である。
【図２】本実施形態の収納ボックスの配置状態及び引寄せ状態等を示す説明図である。
【図３】本実施形態の床下空間の縦断を示す説明図である。
【図４】本実施形態の収納ボックスを示す斜視図である。
【図５】本実施形態の蓋の要部断面を示す説明図である。
【図６】本実施形態の引寄棒の分解部品を示す斜視図である。
【図７】本実施形態のガイドの作用を示す説明図である。
【図８】本発明のガイド工程を示す説明図である。
【図９】本発明の引寄せ工程を示す説明図である。
【発明を実施するための形態】
【００１３】
本発明の実施形態を図面に基づいて説明する。（１）はべた基礎（Ｋ）で木造在来軸組工法による建築物の部屋などの床板面であり、該床板面（１）の中央部は開口されている（図３参照）。尚、べた基礎（Ｋ）は地震に強いため、殆どの木造建築物では、布基礎からべた基礎（Ｋ）に変更されているのが現状である。
【００１４】
（２）は床下空間（Ｓ）に複数個、例えば図２に示す２点鎖線のように７個配置させた収納ボックスであり、該収納ボックス（２）の下部の四隅には自在キャスター（21）が図３のように取付けられると共に四方向の外周面には引掛部（22）が突設されている（図９、図４参照）。また前記収納ボックス（２）は透明な合成樹脂で形成されたものが好ましく、形状としては、図４の（ａ）に示すような直方体や、（ｂ）に示すような断面形状が楕円状或いは円形状の円筒体としても良い。又、前記収納ボックス（２）としては、合成樹脂製の衣装収納ケースや大きめな収納箱などを利用すると良い。尚、前記収納ボックス（２）の個数は上記数量に限定されるものではない。また前記自在キャスター（21）や引掛部（22）の取付位置及び個数は上記に限定されるものではない。
【００１５】
（３）は床板面（１）の開口に取付けられた開閉可能な床下ハッチであり、該床下ハッチ（３）としては半折れのハッチとするのが好ましいが、一般的な開閉可能なものであれば良い。（４）は引掛部（22）に先端を引掛けて床下ハッチ（３）の位置まで移動させて引寄せるために備えられた引寄棒であり、該引寄棒（４）としては図６に示すように、一端を下方へ折曲すると共に他端を上方に折曲したパイプ状の引掛杆（41）と、その他端に一端を挿入して配置させると共にＬ字状に形成した連結杆（42）と、該連結杆（42）を一端に挿入して出し入れ可能とする握りパイプ（43）と、該握りパイプ（43）の他端に一端を挿入して出し入れ可能とするＬ字状の起立杆（44）と、該起立杆（44）の他端を挿入して出し入れ可能とすると共にべた基礎（Ｋ）に垂直に埋設する軸受パイプ（45）と、前記引掛杆（41）の他端下部に設けた自在キャスター（46）と、前記引掛杆（41）と連結杆（42）がワンタッチで取外し可能となるためのワンタッチ取外具（47）と、から成されている。前記ワンタッチ取外具（47）としては、ホースの着脱具などに用いられるものと同一構造のものを用いると良い。尚、前記引寄棒（４）は上記構造に限定されるものではない。
【００１６】
（５）は収納ボックス（２）の上面に取外し可能に設けられた蓋であり、該蓋（５）の上面に接着して図５に示すように突設させた（ａ）の円環状のものと、蓋（５）の上部を突設させて一体に形成した（ｂ）の円柱状のものとがあるが、これに限定されるものではない。又、前記の凸部（51）の配列は、図１に示すように後述するガイド片（６）の通路が蓋（５）の中央に略十字状に確保できるように配置されている。尚、前記凸部（51）は収納ボックス（２）の形状が直方体である場合だけ設け、円筒体の場合には不要である。
【００１７】
（６）は凸部（51）に当設させて収納ボックス（２）をスムーズに移動可能方向にガイドするためのＬ字状のガイド片であり、該ガイド片（６）は床下の大引（７）又はツナギ材（８）或いは根太の下面に突設されている（図２、図３、図１参照）。尚、前記ガイド片（６）は収納ボックス（２）の形状が円筒体の場合には不要である。つまり、収納ボックス（２）の外周面が鋼製束（10）に当設してもスムーズに移動することが可能であるので、ガイド片（６）や凸部（51）のガイド部材は不要である。
【００１８】
（９）は収納ボックス（２）が床板面（１）まで持ち上げられるストロークを有すると共に床板面（１）の開口中央位置で且つべた基礎（Ｋ）に埋設して配置される昇降装置であり、該昇降装置（９）としては、モーター付きジャッキが好ましいが、これに限定されるものではない。尚、前記昇降装置（９）は必ずしも必要なものではない。（11）は土台である。尚、前記大引（７），ツナギ材（８），鋼製束（10），土台（11）は一般的なべた基礎（Ｋ）による床下空間（Ｓ）に設けられたものであり、特に変更や新規のものではない。
【００１９】
次に本実施形態の床下収納構造の使用方法について説明する。先ず図４に示す収納ボックス（２）を所要数個用意し、床下空間（Ｓ）に物品を収納する場合について説明する。予め収納する部屋に用意した収納ボックス（２）に物品を入れ、整理しておく。例えば、自分の好みに合せた種類毎に物品を分け、それを入れる収納ボックス（２）に、ラベルを貼るか或いは色分けしておくと良い。そして、それぞれの収納ボックス（２）に物品を入れて収納するのが好ましい。
【００２０】
その後、床下ハッチ（３）を図３に示す矢印のように移動させると、床板面（１）の中央部が開口されるので、そこから各収納ボックス（２）を順に床下空間（Ｓ）に入れる。この時、あまり使用しない収納ボックス（２）は奥に配置されるようにすると良い。この収納ボックス（２）を移動して順に収納する際は、例えば、４畳半であれば図２に示すように、大引（７）とツナギ材（８）によって床下空間（Ｓ）が９区分に分かれ、各１区分に収納ボックス（２）を１つずつ配置させるのが好ましい。具体的に収納ボックス（２）を配置させる場合について詳細に説明する。先ず始めに殆ど使用しないが捨てられない物品が入れられた収納ボックス（２）を床下空間（Ｓ）に入れる。すると、昇降装置（９）が埋設された中央位置に来る。その後、手で押して土台（11）の側面に収納ボックス（２）の外周面を当設させ、その状態で土台（11）に沿って移動させれば、図中の太数字の［３］又は［７］の四隅位置に配置するように手で押して収納することができる。尚、この時、引寄棒（４）を用いて移動させても良い。また上記要領で太数字の［１］や［６］の四隅位置に配置するように手で押して移動させると良い。
【００２１】
このようにしてあまり使用しないものを奥へ、季節毎に使用するものを近くに、つまり、太数字の［２］や［４］或いは［５］の位置に配置して収納して置けば良い。尚、収納ボックス（２）を配置する位置は、収納ボックス（２）の個数が少ない場合には四隅に配置せず、中央付近に配置して置けば良い。
【００２２】
全ての収納ボックス（２）が床下空間（Ｓ）に収納し終えた後は、床下ハッチ（３）を閉じれば、床板面（１）が平らになるので、一般の部屋として使用すれば良い。
【００２３】
次に収納ボックス（２）を引寄せて必要な物品を取出す場合について説明する。先ず始めに四隅に配置した収納ボックス（２）、つまり、太数字の［１］、［３］或いは［６］、［７］の位置に配置した収納ボックス（２）を引寄せて必要な物品を取出す場合、例えば、太数字の［１］から収納ボックス（２）を引寄せる際は、先ず太数字の［１］から［２］へ移動させる。この時には、予め引寄棒（４）を用意しておく。この引寄棒（４）を使用する場合には、先ず始めに引寄棒（４）の起立杆（44）の他端を、べた基礎（Ｋ）の底面に予め埋設した軸受パイプ（45）に挿入する。そして、片手で握りパイプ（43）を握り、他方の手で引掛杆（41）の先端を収納ボックス（２）の引掛部（22）に挿入させて引掛ける。この時には引掛杆（41）と連結杆（42）はワンタッチ取外具（47）を締付けて一体化させておく。
【００２４】
次に握りパイプ（43）を手で持って図８（ａ）の矢印方向へ収納ボックス（２）が移動するように動かすと、軸受パイプ（45）を中心として引寄棒（４）が回転されて、図９に示す矢印のように回転することにより、収納ボックス（２）はＡからＢに移動し、図２に於いては太数字の［１］から［２］へ移動するのである。この時、図８（ａ）に示すように、収納ボックス（２）は右側へ水平移動する。この時、収納ボックス（２）が図４（ａ）に示すような長方体の場合には、外周面が鋼製束（10）に当って邪魔になる恐れがある。このため、収納ボックス（２）の上面には、円形の凸部（51）が突設された蓋（５）を設け、且つ、床下の大引（７）又はツナギ材（８）の下面に突設したガイド片（６）を設けておく。
【００２５】
この場合のガイド片（６）の作用を図７に基づいて説明する。収納ボックス（２）が図中の点線矢印の方向に移動する際、ガイド片（６）が図７（ａ）に示すように凸部（51）に当接すると、凸部（51）は図７（ｂ）の矢印のように上方へ移動しながら右側に移動することにより、収納ボックス（２）の外周面は、図２、図８に示す鋼製束（10）に当ることなく、収納ボックス（２）は、図８（ａ）のように右側へ移動するのである。この時、図８（ａ）に示す４つの凸部（51）の中央をガイド片（６）が通過する際に収納ボックス（２）の位置を修正して水平方向へ移動できるものとなるのである。尚、前記収納ボックス（２）が図４（ｂ）に示すように外周面が曲面である場合には、その外周面が鋼製束（10）に当設しても自然に離れるため、ガイド片（６）や凸部（51）は不要である。
【００２６】
次に図２に示す太数字の［２］の位置から床下ハッチ（３）の開口部まで収納ボックス（２）を引寄せる場合について説明する。図８（ｂ）の２点鎖線から実線位置まで矢印のように収納ボックス（２）を移動させる際は、図９のＢの位置に於いて、収納ボックス（２）の引掛部（22）から引掛杆（41）の先端を外すと共に起立杆（44）も軸受パイプ（45）から引揚げて引寄棒（４）を床板面（１）の開口から一旦取出す。その後、ワンタッチ取外具（47）によって引掛杆（41）と連結杆（42）を分離し、引掛杆（41）だけを手に持ち、図９のＢの位置に於ける収納ボックス（２）の手前側（下側）の引掛部（22）に引掛杆（41）の先端を挿入して引掛ける。そして、床下ハッチ（３）の位置まで収納ボックス（２）を移動させて引寄せる。この時、凸部（51）が手前のガイド片（６）が当接した場合は、上記同様に凸部（51）が移動しながらガイド片（６）から離れて手前まで移動して引寄せられるのである。
【００２７】
その後、蓋（５）を外し、収納ボックス（２）の内部にある必要な物品を取出して床板面（１）の上に置けば良い。この時、収納ボックス（２）を床板面（１）の上に置いてからその内部にある必要な物品を取出しても良い。尚、この場合、図３に示すように昇降装置（９）が設置されている時には、昇降装置（９）を作動して収納ボックス（２）を床板面（１）まで持上げるものとしても良い。
【００２８】
必要な物品を収納ボックス（２）から取出した後は、収納ボックス（２）に蓋（５）を取付け、上記の動作を行なって元の位置に収納ボックス（２）戻せば良い。
【００２９】
一方、配置した収納ボックス（２）が、図２に於いて、太数字の［２］、［４］、［５］に配置した収納ボックス（２）を引寄せて必要な物品を取出す場合は、収納ボックス（２）の床下ハッチ（３）側の引掛部（22）に引掛杆（41）の先端を挿入して引掛けて、それを移動させて引寄せる。この時、上記同様にガイド片（６）が凸部（51）に当接しても自然に離れて手前に引寄せることができるものとなる。その後、蓋（５）を外し、収納ボックス（２）の内部にある必要な物品を取出せば良い。そして、必要な物品を取出した後は蓋（５）を取付けて元の位置へ戻し、床下ハッチ（３）を閉めれば良い。
【００３０】
尚、前記収納ボックス（２）の形状が図４（ｂ）に示すように外周面が曲面である場合には、四隅に配置した収納ボックス（２）であっても、該収納ボックス（２）の床下ハッチ（３）側の引掛部（22）に引掛杆（41）を挿入して引掛け、収納ボックス（２）がなるべく鋼製束（10）に当たらないように、引寄せて移動させれば良い。この時、収納ボックス（２）の外周面に鋼製束（10）が当接しても自然に離れるため、鋼製束（10）が邪魔にならずに引寄せることができるものとなる。
【００３１】
このように本発明に於いては、床下空間（Ｓ）に配置できる収納ボックス（２）の割合が図２に示すように７／９であり、床下空間（Ｓ）の約８割近い利用が可能になると共に収納ボックス（２）の下部に自在キャスター（21）が取付けられているため、収納ボックス（２）の移動が極めて容易なものとなるので、特にワンルームマンションなどの床下収納庫として利用すれば、独身者や独居老人などにとって使用し易いものとなるのである。
【符号の説明】
【００３２】
１  床板面
２  収納ボックス
21  自在キャスター
22  引掛部
３  床下ハッチ
４  引寄棒
５  蓋
51  凸部
６  ガイド片
７  大引
８  ツナギ材
９  昇降装置
Ｋ  べた基礎
Ｓ  床下空間
【図１】
2016008438.tif 000003
【図２】
2016008438.tif 000004
【図３】
2016008438.tif 000005
【図４】
2016008438.tif 000006
【図５】
2016008438.tif 000007
【図６】
2016008438.tif 000008
【図７】
2016008438.tif 000009
【図８】
2016008438.tif 000010
【図９】
2016008438.tif 000011